(57)【要約】【課題】使用者による使い勝手の良さを保ちつつ、消費電力の削減を図る。【解決手段】所定時間後に電力の供給を停止するオートパワーオフ機能を有する加熱調理器において、操作キー群を用いて所定の操作を行うことにより、前記所定時間Ｔを変更可能とした。【選択図】  図６
2004286400.tif 000002
【特許請求の範囲】
【請求項１】
被加熱物を収納する筐体と、筐体の開口部から被加熱物を出し入れする扉と、被加熱物を加熱する加熱手段と、加熱調理の内容を設定入力する操作入力手段と、調理をするために必要な情報を記憶する記憶手段と、時間を計測する計時手段を含む制御回路と、扉の開閉を検出する検出手段と、前記検出手段により扉の開閉が検出されると前記制御回路に電力供給する電力供給手段と、前記制御回路に前記検出手段からの検出信号又は前記操作入力手段からの入力信号が入ってから所定時間経過後も、該制御回路に前記検出手段から新たな検出信号又は前記操作入力手段から新たな入力信号がないときに前記制御回路への電力供給を停止するオートパワーオフ回路とを具備し、
前記操作入力手段の操作により前記所定時間を変更可能としたことを特徴とする加熱調理器。
【請求項２】
オートパワーオフ回路が動作中であっても、操作入力手段の操作により直ちに前記制御回路への電力供給を停止する手段を備えたことを特徴とする請求項１記載の加熱調理器。
【請求項３】
操作入力手段の操作により、オートパワーオフ回路の動作を有効又は無効かを選択可能としたことを特徴とする請求項１記載の加熱調理器。
【請求項４】
表示装置を備え、操作入力手段の操作により、前記記憶手段に記憶されている所定時間を前記表示装置に表示することを特徴とする請求項１記載の加熱調理器。
【請求項５】
表示装置を備え、オートパワーオフ回路が前記制御回路への電力供給を停止するまでの残り時間を前記表示装置に表示することを特徴とする請求項１記載の加熱調理器。
【発明の詳細な説明】
【０００１】
【発明の属する技術分野】
本発明は、オートパワーオフ機能を備えた加熱調理器に関する。
【０００２】
【従来の技術】
従来、電気機器には、使用後の電源の切り忘れ防止や待機時間中に消費される無駄な電力の削減のために、電力供給状態において一定時間後に自動的に電力供給を停止する、いわゆるオートパワーオフ機能が付されている。また、このようなものの中には、使用者の使用態様に合わせて使用者自身がオートパワーオフ機能を動作させるまでの時間を設定変更できる情報処理機器等もある（例えば、特許文献１参照）。このものでは、電源をＯＮまたはリセットした直後に、所定のボタン入力操作を行うことによって、オートパワーオフ回路が動作するまでの時間を変更している。
【０００３】
一方、加熱調理器においてもオートパワーオフ機能を付加し、待機電力の消費を抑えたものが一般的である。しかし、加熱調理器の電源のＯＮ／ＯＦＦ操作は、操作入力キー等を押す方法ではなく、扉の開閉を検知して電源をＯＮ／ＯＦＦする方法を採用している。これは、被加熱物が加熱室に入れられてない状態で加熱調理を開始する調理方法は稀であり、被加熱物を加熱室に入れてから調理方法の設定を行うことがほとんどであるため、使用者にとって使い勝手が良いようにしたからである。従って、調理終了後から所定の時間を計時し、所定の時間経過した時点で、オートパワーオフ回路を動作し電力供給を遮断していた。そして、このオートパワーオフ回路が動作するまでの時間は出荷時までに一定の時間に設定されていた（例えば、特許文献２参照）。
【０００４】
【特許文献１】
特開平４−２４３４０３号公報（第４頁、第４図）
【０００５】
【特許文献２】
特開２００２−１５６１２３号公報（第３頁、第３図）
【０００６】
【発明が解決しようとする課題】
しかしながら、様々な調理機能を備えた加熱調理器においては、使用者によって利用習慣が異なるため、オートパワーオフするまでの設定時間が一定であることによる様々な不都合が生じていた。例えば、使用頻度が高く、被加熱物に対して断続的に調理を行いたい場合や数分後に再び使用する場合は、一定時間経過すると何の前触れもなくオートパワーオフ回路により電力供給が停止される。このような場合には、再び電力供給を開始するために扉を開閉しなければならなかった。また、逆に使用頻度が低い使用者の場合、使用後すぐに電力供給を停止して電力の節約を図りたいときなど、オートパワーオフ回路が動作するまで待たずに直接電源プラグを抜いて電力供給を停止していた。
本発明は上述の事情に鑑みてなされたものであり、従ってその目的は、使用者が自分の使用態様に適したオートパワーオフするまでの時間を所望に設定することができる加熱調理器を提供することにある。
【０００７】
【課題を解決するための手段】
上記の目的を達成するために、本発明の加熱調理器は、被加熱物を収納する筐体と、筐体の開口部から被加熱物を出し入れする扉と、被加熱物を加熱する加熱手段と、加熱調理の内容を設定入力する操作入力手段と、調理をするために必要な情報を記憶する記憶手段と、時間を計測する計時手段を含む制御回路と、扉の開閉を検出する検出手段と、前記検出手段により扉の開閉が判断されると前記制御回路に電力供給する電力供給手段と、前記制御回路に前記検出手段からの検出信号又は前記操作入力手段からの入力信号が入ってから所定時間経過後も、該制御回路に前記検出手段から新たな検出信号又は前記操作入力手段から新たな入力信号がないときに前記制御回路への電力供給を停止するオートパワーオフ回路とを具備し、前記操作入力手段の操作により前記所定時間を変更可能としたことを特徴とする（請求項１の発明）。
【０００８】
斯かる構成によれば、使用頻度の少ない使用者の場合、オートパワーオフ回路が動作し所定時間を短く設定できるため、無駄な電力消費を抑えることができる。一方、使用頻度が多い使用者は、所定時間を長く設定できるため、オートパワーオフ回路動作後の電力供給が停止した状態から再び扉を開閉して改めて電源を入れる必要がないため使用者にとって使い勝手がよい。
【０００９】
また、請求項１記載のものにおいて、オートパワーオフ回路が動作中であっても、操作入力手段の操作により直ちに前記制御回路への電力供給を停止する手段を備えたことを特徴とする（請求項２の発明）。
斯かる構成によれば、調理終了後等調理を行わない場合等に、電源プラグを直接引き抜くことなく、簡単な操作により直ちに電力供給を停止することにより、無駄な電力消費を抑えることができる。
【００１０】
さらに、請求項１記載のものにおいて、操作入力手段の操作により、オートパワーオフ回路の動作を有効又は無効かを選択可能としたことを特徴とする（請求項３の発明）。
斯かる構成によれば、オートパワーオフ回路の動作による所定時間経過後の電力供給停止を望まない、使い勝手を重視する使用者や断続的に同じ被加熱物を対象として調理する場合は、簡単な操作でオートパワーオフ回路が動作しないようにすることができる。
【００１１】
また、請求項１記載のものにおいて、表示装置を備え、操作入力手段の操作により、前記記憶手段に記憶されている所定時間を前記表示装置に表示することを特徴とする（請求項４の発明）。
斯かる構成によれば、使用者は現在設定されている所定時間を簡単な操作により確認することができる。
【００１２】
さらに、請求項１記載のものにおいて、表示装置を備え、オートパワーオフ回路が前記制御回路への電力供給を停止するまでの残り時間を前記表示装置に表示することを特徴とする（請求項５の発明）。
斯かる構成によれば、オートパワーオフ回路が動作していることを使用者に認識させることができることに加え、電力供給が停止するまでの残り時間を知らせることができる。
【００１３】
【発明の実施の形態】
（第１の実施の形態）
以下、本発明をオーブンレンジに適用した第１実施例について図１乃至図６を参照して説明する。
【００１４】
そのうち、まず、図１乃至図４を参照して説明するに、図１は、オーブンレンジの全体構成を示す斜視図で、この図に示すようにオーブンレンジは、筐体１内部に金属製の箱を配し、加熱室２を形成しており、該加熱室２は前面に開口部２ａを有していて、該筐体１は底面に設けた４本の脚３によって支えられている。開口部２ａには、扉４がヒンジ５により回動可能に取り付けられていて、該扉４は金属製の外枠６とガラス製の窓部７から構成されており、外枠６上部には把手６ａが設けられている。なお、前記扉４窓部７は耐熱ガラス等の透明な素材から成り、内面一帯に金属製の網８を設け、加熱室２内側と外側を静電遮蔽している。また、筐体１前面、扉４右側には、操作パネル９が配置されている。
【００１５】
図２に示すように、操作パネル９上方には残り調理時間や設定温度等を表示するＬＣＤ等から成る表示装置１０が配設され、該表示装置１０下方には操作入力手段たる操作キー群１１が配設されている。操作キー群１１は、加熱調理を開始する「スタート」キー１１ａ、特定の加熱調理方法を選択する「メニュー」キー１１ｂ、マイクロ波加熱を行う「レンジ」キー１１ｃ、ヒータ加熱を行う「オーブン」キー１１ｄ、設定の解除ややり直し等に用いる「取消」キー１１ｅから成る。また、他に増加キー１１ｆ、減少キー１１ｇ、「１０分」キー１１ｈ、「１分」キー１１ｉ、及び「１０秒」キー１１ｊが設けられていて、これらキー操作により調理時間や調理温度の増減が行われる。
【００１６】
一方、図３は上記オーブンレンジの全体構成を示す縦断正面図である。この図３に示すように、加熱室２内の被加熱物をマイクロ波加熱する加熱手段としてのマグネトロン１２は、加熱室２に隣接する機械室１７下方に配設されている。また、加熱室２内の雰囲気温度を上昇させ被加熱物を加熱する加熱手段として、下部にはシーズヒータ１３が後述する載置板１５下方に配設され、上部には平板ヒータ１４が加熱室２天井部に配設されている。そして、前記加熱室２底面には、被加熱物を載置する平らなガラス製の載置板１５が設けられており、該載置板１５の下方には図示しない励振口が形成されており、導波管１６と共に、マグネトロン１２からのマイクロ波を加熱室２に取り入れる役目を担っている。さらに、載置板１５の下方にはアンテナ１８を配設していて、これは回転軸１９を介してモータ２０により回転駆動される。なお、このアンテナ１８を回転させることで加熱室２内に取り入れられたマイクロ波を拡散し、斑を抑えている。
【００１７】
また、加熱室２の陥没部２１を有する側面上方には、加熱室２内に連通した開口部２２が形成されており、この開口部２２を介して加熱室２内を臨む位置に赤外線センサ２３が配設されている。該赤外線センサ２３は、図示しないが例えば８個の直線状に並んだ赤外線温度検出素子からなり、該赤外線センサ２３をスイング動作させることにより、載置板１５のほぼ全体の表面温度を検出することを可能としている。
【００１８】
図４は、電気的構成を示すブロック図である。計時手段たるタイマ２４及び後述する記憶手段３４を含む制御回路２５はマイクロコンピュータ等から構成されており、該制御回路２５によって電力供給手段たる電源回路２６からの電力供給を含めた加熱調理全般を制御している。制御回路２５には、赤外線センサ２３の各赤外線温度検出素子からの検出信号、操作キー群１１の各キーからの入力信号及び検出手段たる扉開閉センサ２７の検出信号が入力されるようになっている。操作キー群１１が使用者により操作されると各キーに応じた信号が制御回路２５に入力される。また、検出手段たる扉開閉センサ２７は、前記扉４の開いた状態および閉じた状態を検出するものである。この扉開閉センサ２７の機構は、図１に示すように外枠６の加熱室２に対面する位置にリブ２８を設け、扉４を閉じた状態にて開口部２ａ周辺に形成された穴部２９に該リブ２８が挿入され、該穴部２９内方に設けられた図示しない扉スイッチを押すというものである。なお、前記扉４を開くことにより、前記扉スイッチがＯＮし、電源回路２６から電力供給が開始される。いったん扉スイッチがＯＮされると、扉４が閉じられ該扉スイッチがＯＦＦされたとしても、制御回路２５により電力供給状態が維持される。
【００１９】
一方、前記したアンテナ１８を回転させるモータ２０は、マグネトロン１２による加熱調理時に制御回路２５により駆動回路３０を介して駆動制御される。また、調理終了等を使用者に知らせる報知器３１及び表示装置１０も制御回路２５により駆動制御される。さらに、マグネトロン１２は、インバータ回路３２を介して制御回路２５により制御されるようになっており、このインバータ回路３２に対して出力制御信号を出力してマグネトロン１２の出力を調整するようになっている。加えて、シーズヒータ１３及び平板ヒータ１４も制御回路２５により出力が制御されている。また、電源回路２６からの電力供給を停止するまでの所定のオートパワーオフ時間Ｔ（以下、所定時間Ｔ）の経過後に停止するオートパワーオフ回路３３及び様々な入力情報等を記憶し読み出すことができる記憶手段３４も備えており、所定時間Ｔを後述する所定の操作により変更し、前記記憶手段３４に記憶しておくことにより、次回以降の使用時から新しく記憶された所定時間Ｔに基づきオートパワーオフ機能が有効に働くようになっている。
【００２０】
次に、上記のように構成されたオーブンレンジの作用につき説明する。まず、扉４を開け、被加熱物を載置板１５に載置する。制御回路２５への電力供給が停止した状態において、始めにこの扉４が開いたことを扉開閉センサ２７が検知することによって図示しない扉スイッチがＯＮし、電源回路２６から制御回路２５に電力が供給されるようになる。使用者により扉４が閉じられた後、操作キー群１１を操作し、各種「メニュー」キー１１ｂ、「レンジ」キー１１ｃ、及び「オーブン」キー１１ｄのいずれかを押して選択し、「レンジ」キー１１ｃならば調理時間を、「オーブン」キー１１ｄならば調理時間や調理温度を設定し、「スタート」キー１１ａを押すことにより、加熱調理を開始する。加熱調理中は赤外線センサ２３により被加熱物の表面温度状態を観測しながら、該観測によって得られたデータに基づいて制御回路２５によりマグネトロン１２、シーズヒータ１３及び平板ヒータ１４を制御する加熱調理となり、加熱調理が終了したと判断すると、報知器３１により使用者に対して調理が終了したことを知らせる。
【００２１】
次に、図４に加え、図５のフローチャートを参照してオートパワーオフ機能の制御内容につき説明する。調理終了後、又は電力供給がなされているが調理を行っていない待機状態において、操作キー群１１への入力信号又は扉開閉センサ２７が扉４の開いた状態を検出した検出信号が制御回路２５に入力されると（ステップＲ１）、タイマ２４が計時を開始する（ステップＲ２）。
【００２２】
ステップＲ３では、制御回路２５により記憶手段３４に予め記憶された所定時間Ｔを読み出し、該所定時間Ｔから経過した計時時間を引いたオートパワーオフするまでの残り時間を算出して表示装置１０に表示する。そして、このオートパワーオフまでの残り時間が０秒になるまでの間に、操作キー群１１による新たな入力信号又は扉開閉センサ２７による新たな検出信号が制御回路２５に入力されたかどうか判断する（ステップＲ４）。制御回路２５に対するこれらの新たな信号の入力がなく、タイマ２４が計時を開始してから所定時間Ｔが経過して残り時間が０秒になると（ステップＲ５）、オートパワーオフ回路３３の制御により電源回路２６からの電力供給を停止する。一方、ステップＲ４において制御回路２５に操作キー群１１による新たな入力信号又は扉開閉センサ２７による新たな検出信号が入力された場合、これまでタイマ２４が計時した時間をリセットし（ステップＲ６）、前のステップＲ２に戻ってこの時点からタイマ２４は再び計時を開始する。
【００２３】
次に図６に示すフローチャートは、オートパワーオフ回路３３が動作するまでの所謂オートパワーオフ機能の所定時間Ｔを変更可能とした、オートパワーオフ設定モードの制御内容につき示している。因みに、このオートパワーオフ設定モードでは、例えば所定時間Ｔを１〜１０，１５，３０分に分単位にて変更することを可能としている。
【００２４】
以下、詳述すると、加熱調理が行われてないが電力供給がされている待機状態にあるとき、使用者により図２に示す「取消」キー１１ｅが操作され（ステップＳ１）、例えばその後２秒間以内に「取消」キー１１ｅが２回押される特殊操作がなされると（ステップＳ２）、所定時間Ｔを変更可能な状態、つまりオートパワーオフ設定モードになる（ステップＳ３）。一方、前記ステップＳ２にて特殊操作が完了しなかった場合は表示装置１０に「０」を表示し、待機状態に戻る。しかるに、オートパワーオフ設定モードになると、まず制御回路２５は記憶手段３４に記憶された所定時間Ｔを読み出し（ステップＳ４）、表示装置１０には現在設定されている例えば変更前の所定時間Ｔが表示される（ステップＳ５）。該所定時間Ｔの初期値としては、工場出荷時に例えば５分に設定されている。
【００２５】
このようにして、現在設定されている所定時間Ｔの確認と同時に、ステップＳ６に移行し増加キー１１ｆおよび減少キー１１ｇの操作により所定時間Ｔの変更を行うことができる。増加キー１１ｆは、１回押す毎に所定時間Ｔに対し１分加算し、逆に減少キー１１ｇは１回押す毎に１分減算すると共に、そのキー操作の都度、タイマ２４の計時が開始される（ステップ７）。従って、今例えば３回減少キー１１ｇを押すと、表示装置１０には「２分」と表示される（ステップＳ９）。この状態において、再度「取消」キー１１ｅが１回押されると（ステップＳ１０）、所定時間Ｔとして表示された変更後の時間である２分を記憶手段３４に記憶し（ステップＳ１１）、オートパワーオフ設定モードを終了する。これと同時にタイマをリセットすると共に、待機状態にリターンして、表示装置１０には「０」を表示する通常の表示画面に戻る。こうして、次回使用時以降所定時間Ｔとして、この場合２分が用いられる。
【００２６】
一方、上記ステップＳ１０においては、「取消」キー１１ｅが操作されず、ステップＳ７における計時開始から１分間何ら操作キー群１１による新たな入力信号が制御回路２５に入力されないときは（ステップＳ１２）、それまでにステップＳ６乃至ステップＳ１０までに行った変更操作を無効とし、従って変更操作前の状態に戻りオートパワーオフ設定モードを終了する。
【００２７】
また、上記ステップＳ７において、増加キー１１ｆ及び減少キー１１ｇを操作されず、ステップＳ１３に至り「レンジ」キー１１ｃが操作された場合には、ステップＳ１４としてタイマ２４が計時をスタートすると同時に、表示装置１０に工場出荷時に設定された所定時間Ｔの初期値である「５分」が記憶手段３４から読み出され、表示される（ステップＳ１５）。その後の過程は、前述したステップＳ１０乃至ステップＳ１２と同様であり、「取消」キー１１ｅを押すことにより（ステップＳ１０）、記憶手段３４に所定時間Ｔとして初期値「５分」が書き込まれ、オートパワーオフ設定モードは終了する。
【００２８】
さらに、上記ステップＳ８において、増加キー１１ｆ又は減少キー１１ｇに対し通常の操作とは異なる、例えば２秒以上押し続ける特殊操作が行われた場合には、ステップＳ１６に移行して表示装置１０に「−」を表示し、この後「取消」キー１１ｅを押すことより（ステップＳ１７）、オートパワーオフ機能は解除され（ステップＳ１８）、この機能解除とする無効化した変更措置を記憶手段３４に書き込み（ステップＳ１９）、オートパワーオフ設定モードは終了する。
【００２９】
このように本実施例によれば、使用者自身が所定時間Ｔを変更することができるため、使用頻度が少ない使用者の場合、所定時間Ｔを１，２分程度と短く設定でき、消費電力を減らすことができる。逆に、頻繁に調理を行う使用者の場合は、所定時間Ｔを長く、１０分程度に変更することにより、同じ被加熱物を対象として加熱調理を断続的に続けて行うような場合、オートパワーオフされてしまうことによる不都合、即ち調理開始前に電力供給を開始するためだけに再び扉４を開閉する煩わしさをなくすことができる。さらに、操作キー群１１の操作によってオートパワーオフ回路３３の動作を有効か無効かを容易に設定でき、使用者への使い勝手をよくすることもできる。
【００３０】
また、使用者は図５に開示したようにオートパワーオフするまでの残り時間をカウントダウン表示にて知ることができ、オートパワーオフ機能が動作していることを意識しやすく、さらにオートパワーオフするタイミングを把握できる。一方、使用者が所定時間Ｔの設定を種々に変更した後も、簡単なキー操作により例えば初期の所定時間Ｔの設定値である５分に戻すことができて便利である。
【００３１】
なお、本発明は上記実施例に限らず、例えばモータの回転軸に回転網を着脱可能に取り付け、該回転網にターンテーブルを載置した加熱調理器に本機能を採用してもよい。また、オートパワーオフ設定モードへ移行するための操作キーとして「取消」キー１１ｅを用いたが、他の調理開始と無関係な他の操作キーを用いて特殊操作を行ってもよいし、操作方法に関しても一定時間取消キーを押し続けることによってオートパワーオフ設定モードへの移行を行ってもよい。さらに、オートパワーオフ機能を解除して無効化する際にも、最後に行ったキー操作から一定時間経過した後、それまでにした変更操作を無効とし、オートパワーオフ設定モードを終了するようにしてもよいし、初期の工場出荷時の所定時間Ｔを５分としたが、一般の使用者にとって使い勝手のよいような設定であれば何分でもよく、実施に際して本発明の要旨を逸脱しない範囲で種々変更して実施可能である。
【００３２】
（第２の実施の形態）
図７は、本発明の第２実施例を示す図５相当図で、上記した第１実施例とは次の点が異なっている。以下、上記第１実施例と同一部分には、同一符号を付して説明を省略し、異なる点のみ説明する。
【００３３】
このものは、使用者が速やかに電力供給を停止させることができるようにしたもので、図７に示すようにステップＲ１乃至ステップＲ４及びステップＲ６にあっては図５に示す第１実施例と同じである。しかるに、本実施例では、ステップＲ４に続く、ステップＲ７及びステップＲ８を加入した点で異なり、以下、詳述すると、ステップＳ７で調理を行っていない状態で「取消」キー１１ｅを一定時間、例えば２秒間以上押し続ける特殊操作を行うと、制御回路２５は記憶手段３４に記憶されている所定時間Ｔによらずタイマ２４が計時途中であっても、オートパワーオフ回路３３を動作させ電源回路２６からの電力供給を直ちに停止する。また、ステップＲ７において特殊操作が行われなければ、ステップＳ８に移行し通常のオートパワーオフ機能に基づいて所定時間Ｔ経過後にオートパワーオフ回路３３を動作させ電源回路２６からの電力供給を停止する。
【００３４】
このように本実施例によれば、使用者が頻繁に調理を行うために所定時間Ｔを１０，１５，３０分のように長く設定してある場合でも、使用者の簡単な操作により必要に応じて瞬時に電力供給を停止できるため、電力消費を減らすことができる。とりわけ、調理終了後や電源を入れたが使用しなくなった時等、調理を行わない場合に、電源プラグを直接引き抜いて電力供給を停止する必要がなく、簡単なキー操作によって直ちに電力供給を停止することにより、無駄な電力消費を抑えることできる。
【００３５】
なお、本発明は上記しかつ図面に示した実施例に限らず、例えば、操作キー群１１のうち、「取消」キー１１ｅ以外の操作キーを用いて特殊操作してもよいし、複数の操作キーを用いて特殊操作してもよいなど、実施に際して本発明の要旨を逸脱しない範囲で種々変更して実施可能である。
【００３６】
【発明の効果】
以上述べたように、本発明によれば、使用者自身がオートパワーオフ機能の時間を設定できるため、オートパワーオフするまでの所定時間が使用者の使用態様に合わず煩わしさを感じさせたり、使用上の不都合が生じさせたりすることなしに、消費電力を節約できるという著効を奏する加熱調理器を提供できる。
【図面の簡単な説明】
【図１】本発明の第１実施例を示す加熱調理器の斜視図
【図２】操作パネルの拡大正面図
【図３】加熱調理器全体の縦断正面図
【図４】電気的構成を示すブロック図
【図５】オートパワーオフ機能の制御内容を示すフローチャート
【図６】オートパワーオフ設定モードの制御内容を示すフローチャート
【図７】本発明の第２の実施例を示す図５相当図
【符号の説明】
２  加熱室
４  扉
９  操作パネル
１０  表示装置
１１  操作キー群
１１ｃ  「レンジ」キー
１１ｅ  「取消」キー
１１ｆ  増加キー
１１ｇ  減少キー
１２  マグネトロン
１３  シーズヒータ
１４  平板ヒータ
２４  タイマ
２５  制御回路
２６  電源回路
２７  扉開閉センサ
３３  オートパワーオフ回路
３４  記憶手段
【図１】
2004286400.tif 000003
【図２】
2004286400.tif 000004
【図３】
2004286400.tif 000005
【図４】
2004286400.tif 000006
【図５】
2004286400.tif 000007
【図６】
2004286400.tif 000008
【図７】
2004286400.tif 000009